(57)【要約】【課題】  建築物に容易に固定出来て、軽量、安価な複層パネル及び複層パネルの取付構造を提供する。【解決手段】  表面側金属板９が設けられた石膏ボード８の裏面側には、裏面側金属板１０が貼設されている。石膏ボード８の側端部８ｃ近傍で、裏面側金属板１０の外側面１０ａには、この石膏ボード８を、支持可能とする補強プレート部材１２が、左，右一対設けられている。  この補強プレート部材１２は、上，下方向に沿って長手方向を延設する長尺薄板状を呈して、所定の厚みｅを有している。【選択図】図１
2005133428.tif 000002
【特許請求の範囲】
【請求項１】
平板状の芯材の表面側に表面側金属板を貼設すると共に、該芯材の裏面側に、裏面側金
属板を貼設する複層パネルであって、
前記芯材の側端部近傍で、前記裏面側金属板の外側面には、該芯材を取り付ける取付金
具を挿通して支持可能とする補強プレート部材が設けられていることを特徴とする複層パ
ネル。
【請求項２】
前記補強プレート部材は、前記芯材の側端面を覆うように、一体に屈曲延設された断面
Ｌ字型を呈していることを特徴とする請求項１記載の複層パネル。
【請求項３】
前記表面側金属板は、前記芯材の側端面から側端部の裏面側に渡って覆うように、一体
に屈曲形成されることにより、前記補強プレート部材の外側面を被覆する被覆部を有して
いることを特徴とする請求項１又は２記載の複層パネル。
【請求項４】
建築物側から突設される取付金具を、前記複層パネルの補強プレート部材に貫通させて
固定することを特徴とする請求項１乃至３のうち何れか一項記載の複層パネルの取付構造
。
【発明の詳細な説明】
【技術分野】
【０００１】
この発明は、所定の強度を有する石膏ボード等、無機芯材の表面を金属製材料で被覆す
る複層パネル及び複層パネルの取付構造に関するものである。
【背景技術】
【０００２】
従来、図５に示すような複層パネルを構成する石膏ボードが、知られている（例えば、
特許文献１等参照）。
【０００３】
まず、構成から説明すると、この石膏ボード１では、石膏で構成された芯材２が、平板
状を呈するように形成されると共に、この芯材２の表面側２ａに表紙３が貼設されている
。
【０００４】
また、この芯材２の裏面側２ｂには、裏紙４が貼設されている。
【０００５】
そして、表裏全面にこれらの表紙３及び裏紙４を包むように、金属箔材５が、接着材等
を用いて貼設されて、複層構造を呈するように構成されている。
【０００６】
次に、この従来の石膏ボード１の作用について説明する。
【０００７】
このように構成された従来の石膏ボード１では、表裏全面にこれらの表紙３及び裏紙４
を包むように、貼設された金属箔材５が、曲げ破壊強度を向上させるので、利用できる用
途が増大している。
【０００８】
また、石膏ボード１の金属箔材５によって、磁性、静電気防止、電磁波シールド及び耐
火性等を向上させることができる。
【特許文献１】実公平６−３６１１７号公報
【発明の開示】
【発明が解決しようとする課題】
【０００９】
例えば、石膏ボード１の裏面側２ｂに設けられる金属箔材５部分を厚く形成して、金属
製板部材とすることにより、裏面側から、この金属製部材を貫通等するリベットで、建築
物の外壁部又は内壁部等に、この石膏ボード１を固定させることができる。
【００１０】
しかしながら、このような従来の複層パネルでは、金属箔材５全面を厚みを有する金属
製板部材として形成すると、重量が増大すると共に、原材料費が増大して、製造コストの
上昇を抑制出来ないといった問題があった。
【００１１】
そこで、この発明は、建築物に容易に固定出来て、軽量、安価な複層パネル及び複層パ
ネルの取付構造を提供することを課題としている。
【課題を解決するための手段】
【００１２】
上記目的を達成するために、請求項１に記載された発明では、平板状の芯材の表面側に
表面側金属板を貼設すると共に、該芯材の裏面側に、裏面側金属板を貼設する複層パネル
であって、前記芯材の側端部近傍で、前記裏面側金属板の外側面には、該芯材を取り付け
る取付金具を挿通して支持可能とする補強プレート部材が設けられている複層パネルを特
徴としている。
【００１３】
また、請求項２に記載されたものは、前記補強プレート部材は、前記芯材の側端面を覆
うように、一体に屈曲延設された断面Ｌ字型を呈している請求項１記載の複層パネルを特
徴としている。
【００１４】
更に、請求項３に記載されたものは、前記表面側金属板は、前記芯材の側端面から側端
部の裏面側に渡って覆うように、一体に屈曲形成されることにより、前記補強プレート部
材の外側面を被覆する被覆部を有している請求項１又は２記載の複層パネルを特徴として
いる。
【００１５】
そして、請求項４に記載されたものは、建築物側から突設される取付金具を、前記複層
パネルの補強プレート部材に貫通させて固定する請求項１乃至３のうち何れか一項記載の
複層パネルの取付構造を特徴としている。
【発明の効果】
【００１６】
このように構成された請求項１記載のものは、前記補強プレート部材が、前記芯材の側
端部近傍で、前記裏面側金属板の外側面に設けられているので、該補強プレート部材に、
該芯材を取り付ける取付金具が挿通されて支持させることが可能である。
【００１７】
このため、建築物に、前記複層パネルが容易に固定される。また、前記裏面側金属板は
、従来のように、裏面側全面に設ける必要が無いので、材料面積が減少し、軽量で、しか
も、安価な複層パネルが提供される。
【００１８】
また、請求項２に記載されたものは、前記請求項１記載の作用効果に加えて、更に、前
記補強プレート部材が、一体に屈曲延設された断面Ｌ字型を呈しているので、前記芯材の
側端面を覆うように装着する際に、位置決め精度を良好なものとすることができる。
【００１９】
更に、前記補強プレート部材によって、前記芯材の側端面が覆われて補強される。
【００２０】
更に、請求項３に記載されたものは、前記表面側金属板の被覆部が、前記芯材の側端面
から側端部の裏面側に渡って覆うように、一体に屈曲形成されている。
【００２１】
このため、前記側端部近傍に設けられた補強プレート部材が、該表面板によって一体と
して覆われるので、更に、外観品質が良好である。
【００２２】
そして、請求項４に記載されたものは、建築物側から突設される取付金具によって、前
記複層パネルの補強プレート部材が貫通されて、該複層パネルが固定される。
【００２３】
このため、リベット等の取付金具を用いて、建築物に容易に固定出来て、軽量、安価な
複層パネル及び複層パネルの取付構造が提供される。
【発明を実施するための最良の形態】
【００２４】
次に、図面に基づいて、この発明を実施するための最良の実施の形態の複層パネル及び
複層パネルの取付構造を説明する。
【００２５】
なお、前記従来例と同一乃至均等な部分については同一符号を付して説明する。
【００２６】
図１乃至図４は、この発明の実施の形態の複層パネル及び複層パネルの取付構造を説明
するものである。
【００２７】
まず、構成を説明すると、この発明の実施の形態では、建築物の外壁部若しくは、内壁
部に設けられて、一定間隔で配置されるスタッド６，６間に装着される複層パネルとして
の無機壁面材７，１７及び、この無機壁面材７，１７の取付構造を説明する。
【実施例１】
【００２８】
図１乃至図４は、この発明の実施の形態の実施例１の複層パネルとしての無機壁面材７
を示すものである。
【００２９】
なお、前記従来例と、同一乃至均等な部分については、同一符号を付して説明する。
【００３０】
まず、構成から説明すると、この実施例１の無機壁面材７には、平板状の芯材としての
石膏ボード８が設けられている。この石膏ボード８は、所定の厚みａ（この実施例１では
、ａ＝１２．５ｍｍ）を有して、横幅方向寸法を、前記隣接配置されるスタッド６，６間
に、装着される際に、両側端面近傍の裏面側が、一定長さｂで各々スタッド６の表面部６
ａと重複するように構成されている。
【００３１】
この石膏ボード８には、更に、表面側８ａに表面側金属板９が接着剤にて貼設されてい
る。
【００３２】
この実施例１の表面側金属板９は、一定の厚みｃ（この実施例１では、ｃ＝０．２ｍｍ
）を有して、折曲可能に構成されている。
【００３３】
また、この石膏ボード８の裏面側には、裏面側金属板１０が接着剤にて貼設されている
。この実施例１の裏面側金属板１０は、一定の厚みｄ（この実施例１では、ｄ＝０．２７
ｍｍ）を有して、前記石膏ボード８の裏面側８ｂ略全面に渡り覆うように貼設されている
。
【００３４】
そして、前記石膏ボード８の側端部８ｃ近傍で、前記裏面側金属板１０の外側面１０ａ
には、この石膏ボード８を、支持可能とする補強プレート部材１２が、左，右一対設けら
れ接着剤にて貼設されている。
【００３５】
この補強プレート部材１２は、パネルの上，下方向（紙面と直交する方向）に沿って長
手方向を延設する長尺薄板状を呈して、鋼材で構成されていて、所定の厚みｅ（この実施
例１では、ｅ＝１．０ｍｍ）を有している。
【００３６】
また、この補強プレート部材１２には、前記スタッド６に取り付けられた取付金具とし
てのリベット１１が挿通されることにより、支持可能とする挿通孔１２ａが形成されてい
る。  
【００３７】
更に、この実施例１では、前記表面側金属板９の被覆部９ａが、前記石膏ボード８の側
端面８ｄから側端部８ｃの裏面側８ｂに渡って覆うように、一体に屈曲形成されている。
【００３８】
この被覆部９の幅ｆは、図２に示すように、前記補強プレート部材１２を全て覆うよう
に、前記スタッド６の表面部６ａと重複される一定長さｂよりも大きな寸法（ｆ≧ｂ）に
設定されている。
【００３９】
次に、この実施例１の作用について説明する。
【００４０】
この実施例１では、図２に示すように、建物等の建築物に一定間隔で配置されるスタッ
ド６，６間に、複層パネルとしての無機壁面材７が装着される際、前記建築物のスタッド
６の表面部６ａに開口形成されたリベット孔６ｂの裏面側から、リベット１１の頭部１１
ａが挿通されると共に、このリベット１１のフランジ部１１ｂが、前記リベット孔６ｂの
開口周縁部に当接して係止される位置まで挿入される。
【００４１】
この状態で、突設されるリベット１１の頭部１１ａを前記被覆部９ａに開口形成された
リベット挿通開口９ｂから、前記裏面側金属板１０のリベット係止孔１０ｂ内に挿通し、
前記石膏ボード８に形成された空隙８ｅの内側に、前記頭部１１ａが挿入される。
【００４２】
そして、この状態で、図３に示すように、前記リベット１１のピン１１ｃを引き抜くと
、前記頭部１１ａに圧縮押圧されて、筒状の胴部１１ｄが、扁平形状に潰れて、前記リベ
ット係止孔１０ｂの周縁部に係止される。
【００４３】
このため、前記リベット１１ｂによって、前記無機壁面材７に設けられた前記補強プレ
ート部材１２が貫通されて、前記表面側金属板９の被覆部９ａ及び裏面側金属板１０と共
に、係着されることにより、前記スタッド６に、この無機壁面材７が固定される。
【００４４】
このように、リベット１１等の取付金具を用いて、建築物に容易に、この無機壁面材７
が、固定されて、軽量、安価な複層パネル及び複層パネルの取付構造が提供される。
【実施例２】
【００４５】
図４は、この発明の実施の形態の実施例２の複層パネルとしての無機壁面材１７を示す
ものである。
【００４６】
なお、前記実施例１に記載された無機壁面材７と同一乃至均等な部分については、同一
符号を付して説明する。
【００４７】
この実施例２の無機壁面材１７では、前記補強プレート部材７と同様に、この石膏ボー
ド８を、支持可能とする補強プレート部材１１２が設けられている。
【００４８】
この補強プレート部材１１２は、芯材としての石膏ボード８の側端面８ｄを覆うように
、裏面部１１２ａから一体に屈曲されて延設された側端面補強部１１２ｂが、設けられて
、断面Ｌ字型を呈するように構成されている。
【００４９】
次に、この実施例２の作用について説明する。
【００５０】
この実施例２では、前記実施例１の作用効果に加えて、更に、前記補強プレート部材１
１２が、前記裏面部１１２ａから一体に屈曲延設された断面Ｌ字型を呈している側端面補
強部１１２ｂを有している。
【００５１】
このため、前記石膏ボード８の側端面８ａを覆うように装着する際に、側端部８ｃに形
成される出隅コーナ部に、この前記裏面部１１２ａから一体に屈曲延設された断面Ｌ字型
を呈している側端面補強部１１２ｂによって構成される入隅コーナ部が、合わせられて一
致する。従って、位置決め精度を良好なものとすることができる。
【００５２】
更に、前記補強プレート部材１１２の側端面補強部１１２ｂによって、前記石膏ボード
８の側端面８ａが覆われて補強される。
【００５３】
他の構成、及び作用効果については、前記実施例１と同一であるので説明を省略する。
【００５４】
以上、図面を参照して、本発明の実施の形態を実施例１，２によって詳述してきたが、
具体的な構成は、この実施の形態に限らず、本発明の要旨を逸脱しない程度の設計的変更
は、本発明に含まれる。
【００５５】
例えば、前記実施例１では、補強プレート部材１１２として、長尺薄板状の鋼材を用い
たものを示して説明してきたが、特にこれに限らず、例えば、他の樹脂、金属等によって
構成されるもの、間隔をおいて配置される短尺のもの等、前記芯材の側端部近傍で、前記
裏面側金属板の外側面に設けられるもので、補強プレート部材に、芯材を取り付ける取付
金具が挿通されて支持させることが可能なものであるならば、どのような形状，数量，材
質等は、どのようなものであってもよい。
【図面の簡単な説明】
【００５６】
【図１】この発明の実施の形態の実施例１に係る複層パネルで、側端部近傍の要部の水平方向断面図である。
【図２】実施例１に係る複層パネル及び複層パネルの取付構造で、複層パネルが、建築物側のスタッドに取り付けられる様子を示す水平方向断面図である。
【図３】実施例１に係る複層パネル及び複層パネルの取付構造で、複層パネルが、建築物側のスタッドに取り付けられた様子を示す水平方向断面図である。
【図４】実施例２に係る複層パネルで、側端部近傍の要部の水平方向断面図である。
【図５】従来例の複層パネルを説明する水平方向断面図である。
【符号の説明】
【００５７】
７，１７            無機壁面材（複層パネル）
８                  石膏ボード
８ａ                表面側
８ｂ                裏面側
８ｄ                側端面
９                  表面側金属板
９ａ                被覆部
１０                裏面側金属板
１１                リベット（取付金具）
１２，１１２        補強プレート部材
１１２ｂ            側端面補強部
【図１】
2005133428.tif 000003
【図２】
2005133428.tif 000004
【図３】
2005133428.tif 000005
【図４】
2005133428.tif 000006
【図５】
2005133428.tif 000007